(57)【特許請求の範囲】
【請求項１】
断面が略Ｃ字状の熱伝導性が良好な形材であって、この形材の開口を構成し、且つ、対向する自由端を備え、その開口の内側にスペース部が形成される形材において、
前記自由端はそれぞれ、前記スペース部に充填されるコーティング材の充填の基準となる端部と、その端部から内側に折り返され、その端部を通る鉛直線の内側に傾斜させる傾斜面を前記開口の内側に備えることを特徴とする形材。
【請求項２】
断面が略Ｃ字状の熱伝導性が良好な形材であって、この形材の開口を構成し、且つ、対向する自由端を備え、その開口の内側に発光手段とその上に充填されるコーティング材を収納するスペース部と、前記スペース部に収納される発光手段を形材に押付ける押圧手段によって前記発光手段が接する受熱部を備えた形材において、
前記自由端はそれぞれ、前記スペース部に充填されるコーティング材の充填の基準となる端部と、その端部から内側に折り返され、その端部を通る鉛直線の内側に傾斜させる傾斜面を前記開口の内側に備えることを特徴とする形材。
【請求項３】
断面が略Ｃ字状の熱伝導性が良好な形材であって、この形材の開口を構成し、且つ、対向する自由端を備え、その開口の内側に発光手段とその上に充填されるコーティング材を収納するスペース部が形成される形材において、
前記自由端はそれぞれ、前記スペース部に充填されるコーティング材の充填の基準となる端部と、その端部から内側に折り返され、その端部を通る鉛直線の内側に傾斜させる傾斜面を前記開口の内側に備える形材に対し、
前記スペース部に収納され、且つ、その両端部が前記自由端を介して押付けられた前記発光手段と、前記端部まで充填されるコーティング材によるコーティング層を備えたことを特徴とする照明器具。
【請求項４】
前記形材の前記スペース部に、前記発光手段を収納し、この発光手段の両端部を前記自由端を介して押付け、前記自由端の端部までコーティング材を充填することを特徴とする請求項３に記載の照明器具の組立方法。
【請求項５】
断面が略Ｃ字状の熱伝導性が良好な形材であって、この形材の開口を構成し、且つ、対向する自由端とを備え、その開口の内側に発光手段とその上に充填されるコーティング材を収納するスペース部が形成される形材において、
前記自由端はそれぞれ、前記スペース部に充填されるコーティング材の充填の基準となる端部と、その端部から内側に折り返され、その端部を通る鉛直線の内側に傾斜させる傾斜面を前記開口の内側に備える形材に対し、
前記スペース部に収納され、且つ、その両端部が前記自由端と前記発光手段間に配置された弾性体に押付けられた前記発光手段と、前記自由端の端部まで充填されるコーティング材によるコーティング層を備えたことを特徴とする照明器具。
【請求項６】
前記形材に対し、前記スペース部に、前記発光手段を収納し、この発光手段の両端部と前記自由端間に弾性体を配置して、前記発光手段を形材に押付け、前記自由端の端部までコーティング材を充填することを特徴とする請求項５に記載の照明器具の組立方法。
【請求項７】
請求項３又は５に記載の照明器具を内ケースとし、この内ケースを収納する外ケースからなることを特徴とする建材。
【請求項８】
請求項３又は５に記載の各照明器具を構成する形材の側部の外側に、その側面に対して垂直なヒレ片又は窪み部を備えた内ケースと、この内ケースをそのヒレ片又は窪み部を介して所定範囲で角度自在に取付ける外ケースからなることを特徴とする建材。
【発明の詳細な説明】
【技術分野】
【０００１】
本発明は、形材と、これに発光手段を組込んだ照明器具に関し、さらにその照明器具を建材に組み込んで一体化させた新規な建材に関する。
【背景技術】
【０００２】
従来より、ＬＥＤパッケージ（砲弾型ＬＥＤ）を基板上に複数個、連続的に配置したＬＥＤモジュール等の発光手段を形材に取付ける技術は公知である（特許文献１）。
即ち、この特許文献１において、発光パネルを構成する発光体取付部材は、発光体（本書では発光手段と称する）を収納するもので、アルミニウム合金の押出形材から構成されている。その本体部の上面に、複数の放熱フィンが突出した放熱部を備えると共に、本体部に固定される発光手段は、後にエポキシ樹脂を充填して防水してある旨が記載されている（同文献段落０００７、０００８）。
【０００３】
発光手段については、その放熱の効率を上げることが、従来から解決すべき技術的課題として挙げられている。
この特許文献１の発光体取付部材においては、前記放熱フィンからなる放熱部を備えることにより、放熱対策が施されている。
この放熱対策を徹底するには、発光手段を形材に固定する場合にも配慮されるべきである。
しかし、この特許文献１では、発光手段を発光体取付部材にどのように固定するのか、その具体的な構成、方法は明確ではない。
発光手段を固定する場合に、両面テープ或いは接着剤を用いるとすれば、放熱の効率が落ちることとなる。
【０００４】
また、発光手段を構成する発光ダイオードのベアチップ（以下、ＬＥＤチップとも称する）、封止樹脂等の劣化の防止のためには、発光手段の防水を図ることが、重要な技術的課題とされている。
この特許文献１においては、発光手段の防水については、エポキシ樹脂を充填して防水してある旨の記載が見られる。
しかし、ここでも、防水の具体的な構成、方法は明確ではなく、発光手段に対する防水が不完全であれば、発光手段の劣化につながり、封止樹脂のクラックが進めば漏電の問題にもつながり易くなる。特に屋外で使用される照明器具においては、防水が不完全な発光手段は漏電の問題に直結し易いこととなる。
【先行技術文献】
【特許文献】
【０００５】
【特許文献１】特開２００４−２７１７３４号公報
【発明の概要】
【発明が解決しようとする課題】
【０００６】
そこで、本願発明は、発光手段に関する上記各課題の放熱、防水及び漏電等の問題を解決することができる形材と、これに発光手段を組込んだ照明器具と、さらにこの照明器具を建材に組み込んで一体化させた新規な建材を提供することを目的とする。
【課題を解決するための手段】
【０００７】
上記課題を解決するため、次のような構成の形材とする。
断面が略Ｃ字状の熱伝導性が良好な形材であって、この形材の開口を構成し、且つ、対向する自由端を備え、その開口の内側にスペース部が形成される形材において、前記自由端はそれぞれ、前記スペース部に充填されるコーティング材の充填の基準となる端部と、その端部から内側に折り返され、その端部を通る鉛直線の内側に傾斜させる傾斜面を前記開口の内側に備えることを特徴とする形材である（請求項１の発明）。
【０００８】
熱伝導性が良好な形材は、アルミニウム、銅、鉄等の金属製の形材であって、典型的なものはアルミニウムの押出形材である。
かかる形材では、発光手段（詳細は後述）からの放熱を直接的に形材で受けて、これを、その全表面から空気中等に放熱することで、放熱の効率が高まる。
【０００９】
断面が略Ｃ字状の形材であるから、その開口がＣ字の自由端によって形成され、その開口の内側にスペース部が形成される。
このスペース部に発光手段を配置して、コーティング材（充填材）を充填する。
【００１０】
発光手段の構成は、次の２つの形態が提案される。
その１は、予め発光手段を製作して前記スペース部に収納する形態と、その２は、形材自体を基板として、発光手段を作成する形態である。
【００１１】
予め製造される発光手段は、ＬＥＤチップを封止したＬＥＤパッケージ（砲弾型ＬＥＤ）、このＬＥＤパッケージを基板上に複数個、連続的に配置したＬＥＤモジュール、ＬＥＤチップを電極パターンが描かれた基板に直接配置したモジュール（以下、ＬＥＤプレートと称する）から構成される。
【００１２】
具体的には、ＬＥＤプレートは、例えば配線パターン及びアンカー部が形成される基板と、前記配線パターン上に施される補助メッキ及び金メッキを介して電極が接続されるＬＥＤチップからなる。
ここにＬＥＤチップは、単一の発光色のもの、赤色、緑色及び青色に発光する各チップを並べたマルチタイプのもの等がある。
前記電極の接続個所を除いて形成される印刷層を備えているＬＥＤプレートでもよい。
【００１３】
前記ＬＥＤプレートにおいて、予めコーティング層を形成したものでもよいし、このコーティング層に撹拌され、且つ、脱泡されて混入され、前記ＬＥＤチップの発光を波長変換させる蛍光体を備えたもので、例えば白色発光させるものでもよい。
前記コーティング層は基板全体又はＬＥＤチップの周囲にレンズ状（凸状）に形成されるようにしてもよい。
【００１４】
さらに、前記凸状のコーティング層を第１のコーティング層とし、さらに第１のコーティング層の上から基板全体に第２コーティング層を形成したものでもよい。
【００１５】
形材自体を基板として発光手段を作成する形態としては、形材のスペース部の底部に、絶縁層を介して電極パターンを形成し、そこに前記各種のＬＥＤチップを直接配置し、その上から前記各種のコーティング層を形成することで構成される。
【００１６】
形材に充填されるコーティング材は、自由端の端部が、その充填の基準となるので、形材全体に均一な充填が可能になる。
【００１７】
上記課題を解決するため、次のような構成の形材でもよい。
発光手段とその上に充填されるコーティング材を収納するスペース部を備え、且つ、熱伝導性が良好な形材であり、前記スペース部に収納される発光手段を形材に押圧する押圧手段によって前記発光手段が接する受熱部を備えたことを特徴とする形材である。
【００１８】
前記発光手段としては、前記ＬＥＤプレート等の予め発光手段を作成するものであって、前記スペース部に収納する形態のものを用いる。
かかる発光手段は、前記押圧手段により形材に直接接することで、放熱性能を向上させることができる。
【００１９】
上記課題を解決するため、次のような構成の形材とする。
断面が略Ｃ字状の熱伝導性が良好な形材であって、この形材の開口を構成し、且つ、対向する自由端を備え、その開口の内側に発光手段とその上に充填されるコーティング材を収納するスペース部と、前記スペース部に収納される発光手段を形材に押付ける押圧手段によって前記発光手段が接する受熱部を備えた形材において、前記自由端はそれぞれ、前記スペース部に充填されるコーティング材の充填の基準となる端部と、その端部から内側に折り返され、その端部を通る鉛直線の内側に傾斜させる傾斜面を前記開口の内側に備えることを特徴とする形材である（請求項２の発明）。
【００２０】
かかる形材は、上記各形材の各構成を合わせたもので、上記作用効果と同様な作用効果を奏することができる。
【００２１】
上記課題を解決するため、次のような構成の照明器具とする。
断面が略Ｃ字状の熱伝導性が良好な形材であって、この形材の開口を構成し、且つ、対向する自由端を備え、その開口の内側に発光手段とその上に充填されるコーティング材を収納するスペース部が形成される形材において、前記自由端はそれぞれ、前記スペース部に充填されるコーティング材の充填の基準となる端部と、その端部から内側に折り返され、その端部を通る鉛直線の内側に傾斜させる傾斜面を前記開口の内側に備える形材に対し、前記スペース部に収納され、且つ、その両端部が前記自由端を介して押付けられた前記発光手段と、前記端部まで充填されるコーティング材によるコーティング層を備えたことを特徴とする照明器具である（請求項３の発明）。
【００２２】
前記照明器具の組立方法は、次の通りである。
前記形材の前記スペース部に、前記発光手段を収納し、この発光手段の両端部を前記自由端を介して押付け、前記自由端の端部までコーティング材を充填する（請求項４の発明）。
【００２３】
上記課題を解決するため、次のような構成の照明器具とする。
断面が略Ｃ字状の熱伝導性が良好な形材であって、この形材の開口を構成し、且つ、対向する自由端とを備え、その開口の内側に発光手段とその上に充填されるコーティング材を収納するスペース部が形成される形材において、前記自由端はそれぞれ、前記スペース部に充填されるコーティング材の充填の基準となる端部と、その端部から内側に折り返され、その端部を通る鉛直線の内側に傾斜させる傾斜面を前記開口の内側に備える形材に対し、前記スペース部に収納され、且つ、その両端部が前記自由端と前記発光手段間に配置された弾性体に押付けられた前記発光手段と、前記自由端の端部まで充填されるコーティング材によるコーティング層を備えたことを特徴とする照明器具とする（請求項５の発明）。
【００２４】
前記照明器具の組立方法は、次の通りである。
前記形材に対し、前記スペース部に、前記発光手段を収納し、この発光手段の両端部と前記自由端間に弾性体を配置して、前記発光手段を形材に押付け、前記自由端の端部までコーティング材を充填することを特徴とする（請求項６の発明）。
【００２５】
上記課題を解決するため、次のような建材とする。
上記各照明器具を内ケースとし、この内ケースを収納する外ケースからなる建材とした（請求項７発明）。
上記各照明器具を構成する形材の側部の外側に、その側面に対して垂直なヒレ片又は窪み部を備えた内ケースと、この内ケースをそのヒレ片又は窪み部を介して所定範囲で角度自在に取付ける外ケースからなる建材とした（請求項８発明）。
【発明の効果】
【００２６】
以上の形材によれば、形材の自由端の端部がコーティング材の充填の基準となるので、形材全体に均一な厚さのコーティング層が形成される。
また、押圧手段により、発光手段が直接的に形材に押しつけられて、放熱効率を上げることができる。
かかる形材から構成される照明器具は、防水性能及び放熱性能が向上し、耐候性、耐久性を向上させることができる。
また、このように照明器具から構成される建材は、建物の外壁、室内の壁面等に取付られ、建物の出入り口、通路等での足元の照明として安全、安心感を与え、また建物のライトアップにも資する。
【図面の簡単な説明】
【００２７】
【図１】形材に発光手段を組み込んだ照明器具の平面図、
【図２】（Ａ）は図１に示したＡ−Ａ´線断面図、（Ｂ）は同Ｂ−Ｂ´線断面図、
【図３】（Ａ）同照明器具を組み込んだ建物の正面外観図、（Ｂ）（Ａ）に示したＡ−Ａ´矢視断面図、
【図４】形材に発光手段を組み込んだ照明器具の平面図、
【図５】同Ａ−Ａ´線矢視断面図、
【図６】照明器具を内ケースとした場合の外ケースの断面図、
【図７Ａ】図６の外ケースと照明器具からなる建材を取付けた建物出入口の正面外観図、
【図７Ｂ】同要部縦断面図、
【図８Ａ】図６の外ケースと照明器具からなる建材を取付けた建物出入口及びその周囲外壁の正面外観図、
【図８Ｂ】同要部縦断面図、
【図９】別例の外ケースの側面図、
【図１０】別例の収納材の側面図である。
【発明を実施するための形態】
【実施例１】
【００２８】
図１及び図２に基づいて、本発明に係る形材及びこれを用いた照明器具の実施例１を説明する。
実施例１の形材１は、形材本体１０とこれに止着される形材押縁１１、１１から構成されている。
これらはアルミニウム押出形材であって、断面が略Ｃ字状に構成されるもので、発光手段としてのＬＥＤプレート２が押圧手段としての前記形材押縁１１により形材本体１０に押し付けられ、そのＬＥＤプレート２の上からコーティング材３が充填されて照明器具４が構成されている。
【００２９】
前記形材本体１０は長尺状のもので、その断面形状が、図２のように略コ字状に形成されて両側部１００と底部１０１を備えており、形材の全表面が放熱部１０２になっている。
底部１０１には、前記ＬＥＤプレート２が配置される領域に前記ＬＥＤプレート２の接触面と同一形状（実施例１では平面状）の受熱部１０７と、その左右に前記形材押縁１１に係合される係合片１０３、１０３とが設けられている。
前記受熱部１０７は、形材本体１０の他の各部に比べて、約２倍程度の肉厚に成形されており、放熱の効率を高めるようにしている。
【００３０】
前記形材押縁１１は、前記形材本体１０と同様に長尺状のもので、略Ｌ字状に形成され、その横辺１１０が前記本体１０の側部１００、１００でネジ等で止着され、その縦辺１１１が自由端１１２となっていて、形材１０の開口１０４を構成すると共に、それぞれ下方に傾斜する第１の傾斜面１１３と、この形材１０に充填されるコーティング材３の充填の基準となる第１の傾斜面の端部１１４と、その端部１１４から内側に折り返される第２の傾斜面１１５と、その傾斜面１１５の端部に形成される押縁片１１６と、前記係合片１０３に係合される係合溝１１７が形成されている。
【００３１】
第１の傾斜面１１３は、前記端部１１４まで充填されているコーティング材３によって形成されるコーティング層で拡散される光の放射が自由端１１２によって規制されないように形成されている。よって、充填後においては、第１の傾斜面１１３が光の放射範囲を拡大させることができる。
第１の傾斜面１１３の端部１１４は、長尺な前記形材本体１０に沿って、コーティング材３の充填ラインを形成することから、前記形材１０全体に、均一な厚さのコーティング層が形成される。
なお、実施例１では自由端１１２に第１の傾斜面１１３を設けているが、傾斜面１１３を設けなくとも、自由端１１２の端部をコーティング材３の充填ラインにすることができる。
第２の傾斜面１１５と前記端部１１４を通る鉛直線とからなす角度は、コーティング層の剥落を防ぐために必要な大きさであり、一方、その角度が大きすぎると、コーティング材３を紫外線照射によって硬化させる際に、その近辺のコーティング材３が硬化しない恐れがあると共に、発光手段が形材１０から抜け出し易くなってしまう。
よって前記角度はコーティング層の剥落防止と発光手段の抜け防止の両立が図られる値（前記鉛直線に対して０°以上に内側に傾斜させる値）となっている。
【００３２】
前記押縁片１１６は、ＬＥＤプレート２の長尺方向に沿った両端部２０、２０を押え込み、プレート全体を受熱部１０７に強く押し付けるために、ＬＥＤプレート２との接触面積を小さくするように形成されている。
前記係合溝１１７は、前記係合片１０３の先端の突起を係合することで、ＬＥＤプレート２を押え込む前記押縁片１１６の位置を保持できるようにしている。
【００３３】
このように形成される前記形材１は、前記形材押縁１１と前記係合片１０３と受熱部１０７によって囲まれる空間によって、ＬＥＤプレート２を収納すると共にコーティング材３を充填するスペース部１０５が形成されることとなる。
【００３４】
前記ＬＥＤプレート２は、図２（Ａ）のように、前記コーティング層がＬＥＤチップの周囲にレンズ状（凸状）に形成されているもので、図１で図示するように、かかるＬＥＤプレート２をその長尺方向に４枚連続させて、各ＬＥＤプレート２の継目にも、均一なコーティング層（図２（Ｂ）参照）が形成されるようになっている。
【００３５】
この実施例１では、一枚の基板に１００個のＬＥＤチップが配置されたＬＥＤプレート２のものであったが、これに限定されるものではなく、例えばＬＥＤチップ数は４８チップ、２４チップでもよい。
また、このタイプのＬＥＤプレートに限定されることなく、上記各タイプのＬＥＤプレートでもよい。
その他、交流を整流するブリッジ整流回路の配線パターンが形成される基板と、前記配線パターンに、交流電源の極性に対応して点灯可能な範囲の数量で直列に、且つ、交流電源の極性に対応してそれぞれ反転通電されるものを対にして、それぞれ接続されるベアチップを備えたＬＥＤプレートでもよい。
【００３６】
また、実施例１の照明器具４のＬＥＤプレート２は、４基のＬＥＤプレート２がシームレス状に連続するものであったが、その設置環境に応じて各ＬＥＤプレート２間に間隔をあけて、その基数を調整するようにしてもよい。
【００３７】
図面中、符号「５」は電源側に接続されるコネクタ、同「６」は充填されるコーティング材が形材から漏れ出すことを防ぐ端部塞ぎ、同「７」は連結銅線である。
【００３８】
以上のように構成される形材１とＬＥＤプレート２によって構成される照明器具４を組み立てる方法は、次のようである。
前記形材本体１０に、４枚のＬＥＤプレート２を収納し、前記受熱部１０７に載せると共に、各ＬＥＤプレート２を連結銅線７を介して電気的に接続する。
次に、ＬＥＤプレート２の長手方向に沿って両端部２０、２０に前記形材押縁１１の押縁片１１６を押当てて、前記係合溝１１７と前記係合片１０３を係合させて、前記形材押縁１１を形材本体１０にネジ止めする。
次に、形材１の両端部を端部塞ぎ６で塞いで、前記端部１１４までコーティング材３としてのアクリル系樹脂を充填する。
その結果、前記端部１１４が基準となる、均一なコーティング層が形材１の全体に形成される。
なお、組み立て手順は、生産設備等に合わせて適宜変更することができる。  
【００３９】
以上のよう構成された照明器具４は、そのまま、建物の外壁、或いは室内の壁面、幅木、手摺等に固定される。
また、図３（Ａ）及び同（Ｂ）のように、前記照明器具４を内ケース４０として、これを外ケース８０に組み込んで建材８として、建物の無目Ｍに固定するようにしてもよい。
なお、図３（Ｂ）の内ケース４０には、外ケース８０に組み込みための嵌合部４１が設けてある。
【００４０】
なお、これらの照明器具４に対する電源は大規模な建物へ設置する場合には、電源ＢＯＸからワイヤハーネスを介して各照明器具に接続され、電力が供給される。
一方、照明器具４を単位とする電源の供給は、電源コンセントからコネクタケーブルを介して行われる。
【００４１】
上記実施例１の作用効果は、次の通りである。
（１）  ＬＥＤプレート２が形材１の形材押縁１１により形材本体１０に押し付けられ、しかもＬＥＤプレート２は肉厚の受熱部１０７に接しているので、放熱の効率が高められる。
（２）  自由端１１２の第１の傾斜面１１３は、コーティング材３によって形成されるコーティング層からの光の放射方向を妨げることがない。
（３）  第１の傾斜面１１３の端部１１４は、前記形材１全体に均一な厚さのコーティング層を形成する場合の基準線となり、コーティング層の均一な厚さによる防水性の向上のみならず、コーティング層から放射する光の強度の均一性等にも資する。
（４）  前記形材１全体に均一な厚さのコーティング層が形成されるので、ＬＥＤプレート２を複数枚に連続させる場合であっても、各ＬＥＤプレート２間の接続箇所の防水性を向上させることができる。
（５）  第２の傾斜面１１５の存在により、コーティング層の剥落が防げ、コーティング層を安定化することができる。
（６）  前記建材８は、建物の外壁の方立、無目、幅木又は／及び下枠に取付けられ、室内においては壁面の幅木等に取付けられ、建物の出入り口、通路等での足元灯、誘導灯の照明として、通行者等に安全、安心感を与え、また建物のライトアップを図ることができる。
【実施例２】
【００４２】
図４及び図５に基づいて、本発明に係る実施例２の形材及び照明器具の構成例を説明する。
この実施例２に係る形材１Ａ及び照明器具４Ａが、実施例１に係る形材１及び照明器具４と異なる主な点は次の通りである。
まず、形材１Ａの構成において、実施例１のように形材本体１０と形材押縁１１に分離させることなしに、断面が略Ｃ字状の形材本体１０Ａを成形している。そして形材本体１０Ａの対向する自由端１１２Ａに、それぞれ下方に傾斜する第１の傾斜面１１３Ａと、この形材１Ａに充填されるコーティング材３Ａの充填の基準となる第１の傾斜面１１３Ａの端部１１４Ａと、その端部１１４Ａから内側に折り返される第２の傾斜面１１５Ａを備えると共に、さらに内側に第３の傾斜面１１８が形成されている。
【００４３】
第２に、この形材本体１０Ａの左右の側部１００ａに、その側面１００ｂ、１００ｂに略垂直なヒレ片１０６を設けたことである。
第３に、押圧手段として、前記形材押縁１１に代えて、弾性材としてのナイロンテグス９を用いることである。
【００４４】
前記形材本体１０Ａのスペース部１０５Ａは、前記ＬＥＤプレート２Ａと接する前記ＬＥＤプレート２Ａの接触面と同一形状（実施例２では平面状）の受熱部１０７Ａと両側面１０８、１０８により形成されており、形材の全表面が放熱部１０２Ａとなる（形材全体が放熱体となる）ことで放熱効率を高めている。
なお、受熱部１０７Ａの厚さが実施例１に比べて薄くなっているのは、実施例２のＬＥＤプレート２Ａのチップ数が少ないことによる発熱量に違いによるものであり、放熱効率は同等である。
【００４５】
前記ヒレ片１０６は、この照明器具４Ａを内ケース４０Ａとして、外ケース８０Ａ（図６、図７（Ｂ）参照）に取付る場合に、その外ケース８０Ａに設けられた角度調整用の凹凸部８１（後述）の凹部８２に、照明器具４Ａをスライド可能に取り付けるものである。
なお、前記ヒレ片１０６を窪み部（図示なし）として、前記凹凸部８１の凸部にスライド可能に取り付けることもできる。
【００４６】
前記ナイロンテグス９は、前記スペース部１０５Ａを形成する受熱部１０７Ａと両側面１０８、１０８にはめ込まれたＬＥＤプレート２Ａの両端部面２０ａ，２０ａを、さらにその受熱部１０７Ａ側に押付けるもので、形材本体１０Ａに対する絶縁性を図りつつ、放熱性を高めることができるようになっている。
【００４７】
図４の図面中、符号「５Ａ」は防水コネクタ（オス）と防水コネクタ（メス）、同「６Ａ」は端部塞ぎ、同「７Ａ」は連結プレートである。
その他の構成は、実施例１に係る形材１と照明器具４と共通にしており、詳細な説明は省略する。
【００４８】
以上のように照明器具４Ａの製造方法は、次のようである。
形材本体１０Ａのスペース部１０５Ａを形成する受熱部１０７Ａと両側面１０８、１０８に照明器具４Ａをはめ込みつつ、その照明器具４Ａを収納する。
次に、この照明器具４Ａの両端２０ａ、２０ａと、前記第３の傾斜面１１８、１１８の間に、それぞれ前記テグス９を押し込む。
次に、形材１Ａの両端部を端部塞ぎ６Ａで塞いで、前記端部１１４Ａまでコーティング材３Ａを充填する。
【００４９】
上述の構成の照明器具４Ａを内ケース４０Ａとして、これを角度自在に取り付ける外ケース８０Ａは、照明器具４Ａと同様に長尺状のもので、図６のようにその断面形状が、略椅子型に成形され、その脚部に相当する壁面内側に、前後２０度の範囲で前記照明器具４Ａのヒレ片１０６をスライドさせつつ、取り付けることができる凹凸部８１が形成されている。
かかる照明器具４Ａが外ケース８０Ａに取り付けられることで、照明器具４Ａの照射方向を設置環境に応じて、任意に、且つ、簡単に設定することができ
る。また、外ケース８０Ａの開口部である自由端８４、８４の間に保護・装飾プレート８５を設けることでさらに防水性が高まる、新規な斬新な建材８Ａが構成される。
なお、保護・装飾プレート８５はポリカーボネート板等から成り、内ケース４０Ａの外側をカバーするものであり、任意の色を選択したり、表面に模様を施す等で、光の照射部を装飾することもできる。
【００５０】
かかる建材８Ａは、例えば図７（Ａ）及び同（Ｂ）並びに図８（Ａ）及び同（Ｂ）のように建物の外壁（サッシやカーテンウォール等も含む）の無目Ｍに固定するようにしてもよい。
また、かかる建材８Ａを図７（Ａ）及び同（Ｂ）並びに図８（Ａ）及び同（Ｂ）のような収納材８３を介して、幅木Ｈとしてもよい。
かかる収納材８３は、前記建材８Ａを固定する本体部８３０と、この本体部８３０の下方であって、前方に傾斜する傾斜面８３１を備え、照明器具４Ａからの光を反射させる反射面を形成することができ、多様な光の演出が可能である。
【００５１】
その他、図９のような外ケース８０Ｂに前記照明器具４Ａを取り付けて、前記照明器具４Ａの外側に保護・装飾プレート８５を設けることで建物の外壁に配置してもよいし、同様に構成された建材８０Ｃを図１０のような収納材８３Ａに取り付けて、室内の幅木として使用してもよい。
【００５２】
実施例２の形材１Ａ及び照明器具４Ａのその他の構成は、実施例１と共通しており、同一の作用効果を奏する他、次のように作用効果を奏する。
（７）  前記ナイロンテグス９は、形材本体１０Ａに対する絶縁性を図りつつ、
ＬＥＤプレート２Ａを形材１Ａの受熱部１０７Ａに押し付けることができるので、受熱部１０７ＡがＬＥＤプレート２Ａからの放熱を直接受けて、形材の全表面から放熱して、放熱性を高めることができる。
（８）  照明器具４Ａを内ケース４０Ａとし外ケース８０Ａに組み込むことで、照明器具４Ａの照射方向を設置環境に応じて、任意に、且つ、簡単に設定することができる、新規な斬新な建材８Ａにすることができる。
（９）  照明器具４Ａを内ケース４０Ａとし外ケース８０Ａに組み込み、外ケース８０Ａの開口部である自由端８４、８４の間に保護・装飾プレート８５を設けることで、防水性がさらに向上し、耐候性、耐久性も高まる。
（１０）  この建材８Ａと収納材８３を組み合わせることで、照明器具４Ａからの光を反射させる反射面により、多様な光の演出が可能である。
【００５３】
本発明は以上説明した実施例に限定されるものではなく、多くの変形が本発明の技術的思想内で当分野において、通常の知識を有する者により可能である。
【符号の説明】
【００５４】
１  １Ａ  形材
１０  １０Ａ  形材本体
１００  １００ａ  側部                  １０１  底部
１０２  １０２Ａ  放熱部                １０３  係合片
１０４  開口                            １０５  １０５Ａ  スペース部
１０６  ヒレ片                          １０７  １０７Ａ  受熱部
１０８  １０８  側面
１１  形材押縁
１１０  横辺                            １１１  縦辺
１１２  １１２Ａ  自由端                １１３  １１３Ａ  第１の傾斜面
１１４  １１４Ａ  第１の傾斜面の端部
１１５  １１５Ａ  第２の傾斜面
１１６  押縁片                          １１７  係合溝
１１８  第３の斜面
２  ２Ａ  ＬＥＤプレート
２０  ２０ａ  ＬＥＤプレートの両端部
３  ３Ａ  コーティング材
４  ４Ａ  照明器具                      ４０  ４０Ａ  内ケース
４１  嵌合部
５  ５Ａ  コネクタ
６  ６Ａ  端部塞ぎ
７  連結銅線
７Ａ  連結プレート
８  ８Ａ  建材
８０  ８０Ａ  ８０Ｂ  ８０Ｃ  外ケース
８１  角度調整用の凹凸部
８２  凹部
８３  ８３Ａ  収納材
８３０  本体部                          ８３１  傾斜面
８４  自由端
８５  保護・装飾プレート
９  ナイロンテグス
【図１】
0005868131.tif 000002
【図２】
0005868131.tif 000003
【図３】
0005868131.tif 000004
【図４】
0005868131.tif 000005
【図５】
0005868131.tif 000006
【図６】
0005868131.tif 000007
【図７Ａ】
0005868131.tif 000008
【図７Ｂ】
0005868131.tif 000009
【図８Ａ】
0005868131.tif 000010
【図８Ｂ】
0005868131.tif 000011
【図９】
0005868131.tif 000012
【図１０】
0005868131.tif 000013